Podtech/llm-jp-corpus-v4-ja_patent huggingface dataset:
(57)【要約】      （修正有）【課題】ブレーキペダルとアクセルペダルの踏み間違え事故を防ぐことができる自動車用アクセルペダルストッパーを提供する。【解決手段】ストッパーは、アクセルペダル１の左側面の穴２に同管を取付け、プラスチック板か鉄板８をアクセルペダルに取付けて、ボルト９で取付板の右側面を５〜５．５ｃｍ高くした構造を有する。【選択図】図１
0003226537.tif 000002
【実用新案登録請求の範囲】
【請求項１】
現状アクセルペダル中央左側面に穴をあけ
ストッパー同管安全戻しスプリングを巻き
ブザースイッチと同管ストッパーを
プラスチック制部品とめで床に取付
プラスチック板または鉄板を現状のアクセル
ペダルに取付右側面を５ｃｍか５．５ｃｍ
高くしたプラスチック制または
ボルト制の構造である
アクセルペダル固定型と吊型ともに
同じ原理である
以上の如く構成された
実用新案登録請求範囲第一項記載の
自動車用アクセルストッパーである
【考案の詳細な説明】
【考案の詳細な説明】
この考案はブレーキペダルとアクセルペダル
を踏み間違え事故を防ぐために
考案されたものである
通常走行と踏み込み防止機能を
現状のアクセルペダルで二つの機能が
可能であるためブレーキペダルと
アクセルペダルを踏み間違えても
アクセルストッパーがあるため
踏み込むことができません
【図面の簡単な説明】
【図１】第１図はアクセルペダル本考案の正面図
【図２】第２図はアクセルペダルにストッパーをつけた本考案の側面図
【図３】第３図はプラスチック制床とめ本考案の平面図
【図４】第４図はアクセルペダル本考案の正面図
【図５】第５図同管制ストッパー本考案の側面図
【図６】第６図ボルト制アクセル金具本考案の側面図
【符号の説明】（１）はアクセルペダル（２）は同管通し穴（３）同管
（４）はスプリング（５）はブザー用ピン
（６）はプラスチック制同管ストッパーとめ
（７）はブザー用スイッチ
（８）はプラスチック制または鉄制の板
（９）は厚プラスチックまたはボルト制
（１０）は部材とめねじ
【図１】
0003226537.tif 000003
【図２】
0003226537.tif 000004
【図３】
0003226537.tif 000005
【図４】
0003226537.tif 000006
【図５】
0003226537.tif 000007
【図６】
0003226537.tif 000008
【手続補正書】
【提出日】令和1年11月26日(2019.11.26)
【手続補正１】
【補正対象書類名】実用新案登録請求の範囲
【補正対象項目名】全文
【補正方法】変更
【補正の内容】
【実用新案登録請求の範囲】
【請求項１】
アクセルペダル（１）の左側面の穴（２）に
同管（３）を取付プラスチック板か鉄板（８）を
アクセルペダルに取付ボルト（９）で
右側面を高くした構造である
以上の如く構成された
自動車用アクセルストッパー
考案の詳細な説明
この考案はブレーキとアクセルの踏み
間違えを防ぐために考案された
踏み間違えてもストッパーが防止する
本考案を図面で説明すると
同管（３）にスプリング（４）をつけ
アクセルペダル（１）のストッパー穴（２）に通し
スイッチ（７）を挟み同管とめ（６）で床に取付
ピン（５）を同管（３）に入れプラスチック板か
鉄板（８）をアクセルペダル（１）に取付右側面を
ボルト（９）で５ｃｍか５．５ｃｍ高くした
プラスチックとボルト制の構造である
【手続補正２】
【補正対象書類名】図面
【補正対象項目名】全図
【補正方法】変更
【補正の内容】
【図１】
0003226537.tif 000009
【図２】
0003226537.tif 000010
【図３】
0003226537.tif 000011
【図４】
0003226537.tif 000012
【図５】
0003226537.tif 000013
【図６】
0003226537.tif 000014
【手続補正書】
【提出日】令和2年3月2日(2020.3.2)
【手続補正１】
【補正対象書類名】実用新案登録請求の範囲
【補正対象項目名】全文
【補正方法】変更
【補正の内容】
【実用新案登録請求の範囲】
【請求項１】
アクセルペダル（１）の左側面の穴（２）に同管（３）を取付プラスチック板か鉄板（８）をアクセルペダル（１）に取付ボルト（９）で右側面を高くした構造である
自動車用アクセルストッパー
【手続補正２】
【補正対象書類名】明細書
【補正対象項目名】全文
【補正方法】変更
【補正の内容】
【考案の詳細な説明】
【考案の詳細な説明】
【０００１】この考案はブレーキとアクセルの踏み間違えを防ぐために考案された踏み間違えてもストッパーが防止する本考案を図面で説明すると
同管（３）にスプリング（４）をつけアクセルペダル（１）のストッパー穴（２）に通しスイッチ（７）を挟み同管とめ（６）で床に取付ピン（５）を同管（３）に入れプラスチック板か鉄板（８）をアクセルペダル（１）に取付右側面をボルト（９）で５ｃｍか５．５ｃｍ高くしたプラスチックとボルト制の構造である
【図面の簡単な説明】
【０００２】
【図１】はアクセルペダル本考案の正面図
【図２】はアクセルペダルにストッパーをつけた本考案の側面図
【図３】はプラスチック制床とめ本考案の平面図
【図４】はアクセルペダル本考案の正面図
【図５】は同管制ストッパー本考案の側面図
【図６】はボルト制アクセル金具本考案の側面図
【符号の説明】
【０００３】（１）はアクセルペダル
（２）は同管通し穴
（３）は同管
（４）はスプリング
（５）はブザー用ピン
（６）はプラスチック制同管ストッパーとめ
（７）はブザー用スイッチ
（８）はプラスチック制または鉄制の板
（９）は厚プラスチック制またはボルト制
（１０）は部材とめねじ
(57)【要約】      （修正有）【課題】室内環境下で毎日のような頻繁な多量の水分を必要としない観葉植物を提供する。【解決手段】観葉植物は、植物２の根元を覆うケト土と赤玉土とからなる培養土１と、培養土の表面を覆うピートモス３とからなる。または、ピートモス及び培養土を所定形状にするようにピートモスの外側に巻き付ける糸４をさらに備えて構成される。【選択図】図１
0003226540.tif 000002
【実用新案登録請求の範囲】
【請求項１】
植物の根元を覆うケト土と赤玉土とからなる培養土と、この培養土の表面を覆うピートモスとからなることを特徴とする観葉植物。
【請求項２】
植物の根元を覆うケト土と赤玉土とからなる培養土と、この培養土の表面を覆うピートモスと、このピートモス及び前記培養土とを所定形状にするように前記ピートモスの外側に巻き付ける糸とからなることを特徴とする観葉植物。
【考案の詳細な説明】
【技術分野】
【０００１】  本考案は、器や皿の上などに置かれて飾り付けられる苔玉（コケ玉、草玉）に草木の根元を植え込む観葉植物の改良に関するものである。
【背景技術】
【０００２】  苔玉とは、植物の根元を用土で球状に包み、そのまわりにコケを張り付け糸で固定したものであり、インテリアの一部などとして観賞に用いられている。【０００３】  この苔玉は、盆栽で用いられる鉢の中に根を隙間なく張らせ、鉢なしでも崩れないようにする「根洗い」を応用して制作され、土（ケト土などが用いられる）の外側に糸でコケを巻きつけ、当該苔玉に用いられるコケには、アラハシラガゴケ、スナゴケ、ハイゴケ、ミズゴケなどがある。【０００４】  斯かる苔玉にウワバミソウ、ヤマトキホコリなどの草木の根元（珠芽、地下茎）を植え込み、その草木の根元を苔玉の用土で丸く囲い、その用土の表面をコケで覆う観葉植物が知られている（下記先行技術文献参照）。
【先行技術文献】
【特許文献】
【０００５】
【特許文献１】特開２００８−２９３１０号公報
【特許文献２】特開２０１３−２３６５６７号公報
【特許文献３】実用新案登録第３１７１０６９号公報
【特許文献４】実用新案登録第３１９０８５６号公報
【考案の概要】
【考案が解決しようとする課題】
【０００６】  斯かる先行技術文献では、（１）コケが必要とされ、苔玉の制作後は当該コケが乾燥しないように適宜水分を供給する必要があることから、個人宅で楽しむ場合には長期の不在時の問題があり、（２）また、高温多湿等の風通しが悪い環境下では、コケにカビが発生することがあり、見栄えが悪くなるという問題があった。
【課題を解決するための手段】
【０００７】  本考案は、このような問題を解決するために、植物の根元を覆うケト土と赤玉土とからなる培養土と、この培養土の表面を覆うピートモスとからなる観葉植物を考案した。【０００８】  また、植物の根元を覆うケト土と赤玉土とからなる培養土と、この培養土の表面を覆うピートモスと、このピートモス及び前記培養土とを所定形状にするように前記ピートモスの外側に巻き付ける糸とからなる観葉植物を考案した。
【考案の効果】
【０００９】  本考案に係る観葉植物は、室内環境下で毎日のような頻繁な水分補給を必要としないものとなり、コケを必要としないため、カビの発生の恐れがない。
【図面の簡単な説明】
【００１０】
【図１】  本考案の実施例の一部を切り欠いた説明図である。
【考案を実施するための形態】
【００１１】  植物の根元を覆うケト土と赤玉土とからなる培養土と、この培養土の表面を覆うピートモスとからなることを特徴とする観葉植物である。
【００１２】  植物の根元を覆うケト土と赤玉土とからなる培養土と、この培養土の表面を覆うピートモスと、このピートモス及び前記培養土とを所定形状にするように前記ピートモスの外側に巻き付ける糸とからなることを特徴とする観葉植物である。
【００１３】  このような考案によれば、多量の水分を必要としない観葉植物を提供することができるものである。
【実施例】
【００１４】  以下、添付図面に基づいて本考案の実施例を説明する。【００１５】  各図において、１は、ケト土と赤玉土からなる培養土で、２は、属名としてクラッスラ、エケベリア、セダム、カランコエなどで知られている多肉植物であり、この植物２は、その根元を培養土１で円形状に包んでいる。【００１６】  そして、培養土１の表面の全体をピートモス３で覆っている。【００１７】  なお、ピートモス３は、水分が多い場所で育った植物を細かく砕いて乾燥させた土を言い、水分吸収性能に優れており土質を酸性寄りにして水持ちを良くする効果を有している。【００１８】  なお、培養土１とピートモス３とを所定形状にするようにピートモス３の外側に糸４を巻き付けることは、形を長期間保持するためには有効である。【００１９】  このような構成の観葉植物は、従来の苔玉を用いた観葉植物に比べて、必要水分が少なく、例えば、室内環境下で毎日のような頻繁な水分補給を必要としないものとなり、コケを必要としないため、カビの発生の恐れがなく、見栄えの維持に優れているものとなり、前述した従来の問題（１）（２）を解決することができる観葉植物を提供することができる。
【符号の説明】
【００２０】  １  培養土
２  植物
３  ピートモス
４  糸
【図１】
0003226540.tif 000003
【手続補正書】
【提出日】令和2年2月5日(2020.2.5)
【手続補正１】
【補正対象書類名】実用新案登録請求の範囲
【補正対象項目名】請求項２
【補正方法】変更
【補正の内容】
【請求項２】
植物の根元を覆うケト土と赤玉土とからなる培養土と、この培養土の表面を覆うピートモスと、前記ピートモスの外側に巻き付ける糸とからなることを特徴とする観葉植物。
【手続補正２】
【補正対象書類名】明細書
【補正対象項目名】０００８
【補正方法】変更
【補正の内容】
【０００８】  また、植物の根元を覆うケト土と赤玉土とからなる培養土と、この培養土の表面を覆うピートモスと、前記ピートモスの外側に巻き付ける糸とからなる観葉植物を考案した。
【手続補正３】
【補正対象書類名】明細書
【補正対象項目名】００１２
【補正方法】変更
【補正の内容】
【００１２】  植物の根元を覆うケト土と赤玉土とからなる培養土と、この培養土の表面を覆うピートモスと、前記ピートモスの外側に巻き付ける糸とからなることを特徴とする観葉植物である。
【手続補正４】
【補正対象書類名】明細書
【補正対象項目名】００１８
【補正方法】変更
【補正の内容】
【００１８】  なお、培養土１とピートモス３とを任意の形状にするようにピートモス３の外側に糸４を巻き付けることは、形を長期間保持するためには有効である。
(57)【要約】      （修正有）【課題】電子タバコ内ホルダーにヒートスティックのフィルターが詰まって中で折れてしまった際に容易に取り出すための道具を提供する。【解決手段】電子タバコ内ホルダー５に詰まってしまったヒートスティック４のフィルターを容易に取り出すための道具であって、持手部１、軸部２および差込部３を含み、持手部は回転させることを容易にするため円形の平板で形成され、軸部分はらせん状で形成されている。道具の本体部は、プラスチックの固い材料からなり、大きさは５センチメートルほどで持ち運びが容易である。道具の差込部は安全を考慮し先端部分の形状は球体で構成されている。【選択図】図１
0003226539.tif 000002
【実用新案登録請求の範囲】
【請求項１】
電子タバコ内ホルダーに詰まってしまったヒートスティックのフィルターを容易に取り出すための道具である。
【請求項２】
前記道具は、持手部、軸部および差込部を含み、持手部は回転させることを容易にするため円形の平板で形成され、軸部分はらせん状で形成されていることを特徴とする請求項１に記載の道具である。
【請求項３】
前記道具は、本体部は、プラスチックなどの固い材料からなり、大きさは５センチメートルほどで持ち運びが容易な請求項１に記載の道具である。
【請求項４】
前記道具は、差込部は安全を考慮し先端部分の形状は球体で構成されていることを特徴とする請求項１に記載の道具である。
【考案の詳細な説明】
【技術分野】
【０００１】  本考案は、電子タバコの技術分野に関し、具体的な分野はヒートスティックを使用する電子タバコに関するものである。
【背景技術】
【０００２】  喫煙の危険性が世間では注目されてきている。周知のように、長期間にわたる喫煙は、健康を害す恐れがあるため、紙タバコの代わりに電子タバコを使用することは、喫煙者の体に対する危害を低減できると共に、喫煙者のニーズを満たすこともできる。しかし、電子タバコ機器用付属品として、クリーナーが付いている場合があるが、日常的に持ち歩く場合が少なく、また、クリーナーを紛失してしまうことも想定されるため、クリーナーの代用として持ち運びが容易であるものが求められる。
【考案の概要】
【０００３】  電子タバコ機器内で折れて詰まってしまったヒートスティックの吸殻をホルダーから容易に取り出す際に利用する道具である。
【考案が解決しようとする課題】
【０００４】  ホルダーにヒートスティックの吸い殻が詰まっている場合には、ヒートスティックが刺さらないといった事象が起きる場合がある。【０００５】  また、詰まってしまっている吸い殻を無理に取り出そうとした結果、内側に汚れがついてしまう場合がある。
【考案の効果】
【０００６】  更に本考案に係る電子タバコ用ホルダーは、加熱ブレードを内蔵している。詰まってしまったヒートスティックを容易に取り出すことができる。また、取り出す際に加熱ブレードを傷つけず、ヒートスティックの詰まりが減少することで清掃がしやすくなり、本体の故障を防ぐ効果が期待できる。
【図面の簡単な説明】
【０００７】
【図１】本考案の実施例に係る利用方法を示す斜視図である。
【図２】図１に示した本考案の平面図である。
【考案を実施するための形態】
【０００８】  ここで記述する具体的な実施例は、本考案を解釈するためのものであり、本考案を制限するものではない。
【０００９】  本考案の構成、目的及び利点など記述した実施例は、ただ本考案の一部の実施例であり、全ての実施例ではない。実施例に基づいて、何の創造的な労働を払わない前提で得た他の実施例も、本考案の保護範囲内に含まれる。
【００１０】  本実施例において、本体部は、プラスチックなどの固い材料からなる。
持手部は円形の平板で、大きさは５センチメートルほどで持ち運びが容易である。
【００１１】  本考案の実施例におけるあらゆる方向的な表現は、ある特定状態での相対的な位置関係、動作状況等を解釈することのみに用いられる。
【００１１】  本実施例において、軸部分はらせん状で形成され、差込部は安全を考慮し先端部分の形状は球体の形状である。軸部および差込部を設けることによって、ヒートスティックの詰まりを簡単に除去することが便利になり、電子タバコの部品を損傷することも防止される。
【００１２】  本考案は、上述の実施形態に限定されるものではなく、その要旨を逸脱しない範囲において、この変更または取替えに基づく様々な変形例も本考案の保護範囲に含まれることは明らかである。
【符号の説明】
【００１３】１…持手部    ２…軸部分    ３…差込部    ４…ヒートスティック
５…ホルダー
【図１】
0003226539.tif 000003
【図２】
0003226539.tif 000004
【手続補正書】
【提出日】令和1年12月12日(2019.12.12)
【手続補正１】
【補正対象書類名】実用新案登録請求の範囲
【補正対象項目名】全文
【補正方法】変更
【補正の内容】
【実用新案登録請求の範囲】
【請求項１】
電子タバコ内ホルダーに詰まってしまったヒートスティックのフィルターを容易に取り出すための道具であって、前記道具は、持手部、軸部および差込部を含み、持手部は回転させることを容易にするため円形の平板で形成され、軸部分はらせん状で形成されていることを特徴とする道具。
【請求項２】
前記道具は、本体部は、プラスチックなどの固い材料からなり、大きさは５センチメートルほどで持ち運びが容易であることを特徴とする道具。
【請求項３】
前記道具は、差込部は安全を考慮し先端部分の形状は球体で構成されていることを特徴とする道具。
【手続補正書】
【提出日】令和2年3月17日(2020.3.17)
【手続補正１】
【補正対象書類名】実用新案登録請求の範囲
【補正対象項目名】全文
【補正方法】変更
【補正の内容】
【実用新案登録請求の範囲】
【請求項１】
電子タバコ内ホルダーに詰まってしまったヒートスティックのフィルターを容易に取り出すための道具であって、持手部、軸部および差込部を含み、持手部は回転させることを容易にするため円形の平板で形成され、軸部分はらせん状で形成されていることを特徴とする道具。
【請求項２】
道具の本体部は、プラスチックの固い材料からなり、大きさは５センチメートルほどで持ち運びが容易であることを特徴とする請求項１に記載の道具。
【請求項３】
道具の差込部は安全を考慮し先端部分の形状は球体で構成されていることを特徴とする請求項１または２に記載の道具。
(57)【要約】      （修正有）【課題】傘の尖った部位に因る危険を無くし安全で簡単な構造による安価でデザイン自由度の高い傘を提供する。【解決手段】立体的な傘布２を、スプリングワイヤや樹脂で作られた輪状の張力材１、Ｃ状の張力材５で広げる事により、雨や日差しを防ぎ突起部の無い安全で簡単に開閉可能な構造の傘で、柄４は着脱可能にし、用途に応じて形状変更が出来、傘布２に持ち手３を付ければ心棒は無くても使用出来る事を特徴とする。【選択図】図３
0003226583.tif 000002
【実用新案登録請求の範囲】
【請求項１】
立体的な傘布をスプリングワイヤーや樹脂で作られた輪状やC状の張力材で広げ、前記傘布の中央の頂点部に柄を取り付けたり、前記傘布の側面部に持ち手を取り付ける事で、とがった部分が無く安全に使用できて、畳む時は前記柄をはずし前記張力材をひねり前記傘布を平たく重ねるようにして専用の袋に入れるか、バンド状帯で留めてコンパクトに収納できる骨の無い傘。
【考案の詳細な説明】
【技術分野】
【０００１】
本考案は、傘の放射状に開く骨の代りに輪状やC状の張力材で傘布を立体的に広げることにより、とがったつゆ先が無く、  安全かつ楽しく使用できる傘に関するものである。
【背景技術】
【０００２】
世の傘の多くは金属等の骨を傘布を広げるための張力として放射状に使う為、先端部分つゆ先があり混雑している場所や子供が近くに居る時に危険性が高く放射状の骨を使う構造上円錐形やドーム状に形状が縛られがちであった。
【先行技術文献】
【特許文献】
【０００３】
【特許文献１】特開２００３−３８２２２号広報
【考案の概要】
【考案が解決しようとする課題】
【０００４】
従来の傘よりシンプルな構造の先の特許が知られているが、平面状の傘布は安定が取りにくく、張り紐は使用時邪魔になる問題点があり構造も複雑である、そこで本考案は上記課題に鑑みシンプルで軽量な構造でありながら簡単な操作で開閉可能な、安定して使えてデザインの自由度が高い傘を提供する事で前述の欠点を解決しようとするものである。
【課題を解決するための手段】
【０００５】
本考案の骨の無い傘は、放射状に広がる骨を傘布の張力として利用するのでは無く立体的な傘布をスプリングワイヤーや樹脂で作られた輪状やC状の張力材で広げ、前記傘布の中央の頂点部に前記柄を取り付けたり、前記傘布の側面部に前記取っ手を取り付ける事で、とがった部分が無く安全に使用できて、畳む時は前記柄をはずし前記張力材をひねり前記傘布を平たく重ねるようにして専用の袋に入れるか、バンド状帯で留めてコンパクトに収納できる事を特徴とする。
【考案の効果】
【０００６】
上述の様に先端部分が無い為安全性が高く、円錐形やドーム状に形状が縛られないことからデザインの自由度が高い、動物型、乗り物の形、建造物など色々な造形を作る事が出来、子供等がよろこぶ形に作れたり、部品点数も少なく構造も単純なので安価に作れ、或は輪状の張力材を複数にすれば堅牢にも作れ、新たな市場を作れる。
【図面の簡単な説明】
【０００７】
【図１】実施例１の俯瞰図である。
【図２】実施例２の俯瞰図である。
【図３】実施例３の俯瞰図である。
【図４】実施例４の俯瞰図である。
【図５】実施例５の俯瞰図である。
【図６】実施例６の俯瞰図である。
【考案を実施するための形態】
【０００８】
以下、図１から図６を用いて六種の実施例について説明する。
【実施例１】
【０００９】
図１に示すように傘をドーム状に広げる為に８の字型形で輪状のスプリングワイヤーや樹脂で作られた張力材１で傘布２を広げ中央の頂点部に取り付け式の柄４を取り付ければ簡易な傘となる。傘布２の内側側面部にバンド状持ち手３を取り付ければ柄は無くても使用でき部品点数も少く安価に製造が可能になり収納もコンパクトとなる。柄４は傘布２を広げてから取り付けるので、手が自由になる帽子風に、頭で支える部品や腕や肩で支える部品、ランドセルなどのカバンに取り付ける部品に変えるなど変更が容易である。
【実施例２】
【００１０】
図２に示すように傘をドーム状に広げる為に三方に広がりを持つ三重螺旋形で輪状の張力材１で傘布２を広げ中央の頂点部に取り付け式の柄４を取り付ければ簡易な傘となる。傘布２の内側側面部にバンド状持ち手３を取り付ければ柄４は無くても使用でき部品点数も少く安価に製造が可能になり収納もコンパクトとなる。柄４は傘布２を広げてから取り付けるので、手が自由になる帽子風に、頭で支える部品や腕や肩で支える部品、ランドセルなどのカバンに取り付ける部品に変えるなど変更が容易である。
【実施例３】
【００１１】
図３では傘布２に輪状の張力材１とC状の張力材５の張力で傘布２を立体的に持ち上げるように対向して2方に取り付けてあり、C状の張力材５の端部は輪状張力材１に連結されており堅牢な形に作る事ができる。
【実施例４】
【００１２】
図４では傘布２を輪状の張力材１とC状の張力材５の張力で傘布２を立体的に持ち上げるように３方に取り付けて、実施例２よりさらに堅牢な発展形の傘に作る事が出来る。
【実施例５】
【００１３】
図５では航空機を模した傘布2に輪状の張力材1を傘布２に合う様に変形につけ子供達が楽しんで傘をさせる様に作れる。
【実施例６】
【００１４】
図６では電車やバスに模した傘布2を両辺に輪状の張力材1で広げ、持ち手3を複数取り付ければ普段に電車ごっこなど遊びにも使える。           
【符号の説明】
【００１５】
１  輪状の張力材    
２  傘布  
３  持ち手    
４  柄  
５  C状の張力材
【図１】
0003226583.tif 000003
【図２】
0003226583.tif 000004
【図３】
0003226583.tif 000005
【図４】
0003226583.tif 000006
【図５】
0003226583.tif 000007
【図６】
0003226583.tif 000008
(57)【要約】      （修正有）【課題】軽量かつ制振性に優れ、また断熱及び消音効果を有する廃材利用によるコストが低い制振材を提供する。【解決手段】制振材は、粉砕し抄造法により所望の大きさに成形若しくは所望の大きさにカット成形したロックウール廃材からなり、ロックウール廃材に制振樹脂からなる制振剤を含侵し、複合化して板状にしたことを特徴とする。【選択図】図１
0003226591.tif 000002
【実用新案登録請求の範囲】
【請求項１】
粉砕し抄造法により所望の大きさに成形若しくは所望の大きさにカット成形したロックウール廃材において、該ロックウール廃材に制振樹脂からなる制振剤を含侵し、複合化して板状にしたことを特徴とする制振材。
【考案の詳細な説明】
【技術分野】
【０００１】  本考案は、断熱及び消音効果のある廃棄物利用の軽量かつ制振性能の良好な制振材に関する。
【背景技術】
【０００２】  制振材としては多くの物があるが、工業用廃材を利用したものは無かった。その理由としては、再利用のためには多くの工程が必要となり、結果としてコスト高となることであった。【０００３】  一方、水耕栽培用のロックウールは、多くの水耕栽培の種床に利用されているものの、不良品としての廃材が多く発生し、その処分に多くの費用が掛かるばかりでなく、有害では無いものの自然界に消滅することがないため、再利用が喫緊の課題であった。【０００４】  種床メーカーによると、種床加工であるスリット加工や穴開け加工の際に、材料の欠けや崩れで不良品が１〜２ｔ／月、発生している。【０００５】  また、市販されている代表的なガラスウールを利用したものがあるがその材料から高価なものとなっている。【０００６】  また、制振剤としては、塗料として利用する最新剤がある。該制振剤は極めて良質な重合体粒子のエマルジョンと有機低分子とを含み、ナノインテンダーを用いて測定した該有機低分子の結晶の荷重変位曲線の傾きが、８５〜３００μＮ／１００ｎｍである制振用塗料組成物が特開２０１３−２５３２０１として提案されている。（特許文献１）
該特許文献１は、非常に良い制振効果があるものの、その利用方法を案出する必要があった。【０００７】  さらに、熱硬化性樹脂中に、無機質の繊維状非金属物質及び無機質の非繊維状物質並びに有機質繊維から選ばれる少なくとも１種の物質と、金属繊維とが混在されてなる制振材料が、特開昭５４−００３８５８として提案されている（特許文献２）が、コストの面で問題がある。
【先行技術文献】
【特許文献】
【０００８】
【特許文献１】特開２０１３−２５３２０１号公報
【特許文献２】特開昭５４−００３８５８号公報
【考案の概要】
【考案が解決しようとする課題】
【０００９】  本考案は、上記に鑑み案出されたものであり、廃棄物を資源化することと、既存の制振剤を利用して、安価で性能良い制振材を提供するものである。【００１０】  水耕栽培に利用される不良品を資源として再利用するものであるが、コストアップすることなく実現するものである。
【課題を解決するための手段】
【００１１】  本考案の制振床材は、ロックウール廃材に市販の制振樹脂（高圧ガス工業株式会社製  品番ＫＧ―６３４５Ｎ２）を複合化するものであり、その方法は抄造による全含侵であり、該全含侵工程とは、返却されたロックウール廃材を粉砕し、該粉砕物を制振樹脂と抄造加工により成形することにより全含侵し、次に該成形物を水抜きし、規定寸法加工した後、乾燥し、製品サイズにカットするものである。【００１２】  本考案の抄造方法は、一般的に知られた方法であり、その目的は繊維への樹脂の定着を効率的に行うことができるようにしたものである。【００１３】  本考案の抄造方法を実施する抄造装置は、ロックウール廃材のスラリーを流送するスラリー流送管と、スラリー流送管の下流側に設けられる抄造槽とを備え、スラリーを停留させずに流送可能に構成されるとともに、スラリーが抄造槽に蓄えられた受け水へスラリーを直接投入可能としたものである。
【考案の効果】
【００１４】  資源化されたロックウールに制振材が効率よく含侵しているため、安価で用途の広い制振材料を提供することができりものである。
【図面の簡単な説明】
【００１５】
【図１】  本考案の制振材の斜視図である。
【考案を実施するための形態】
【００１６】  ロックウール廃材に市販の制振樹脂（高圧ガス工業株式会社製  品番ＫＧ―６３４５Ｎ２）を複合化するものであり、その方法は抄造による含侵であり、該含侵工程とは、廃材として返却されたロックウール廃材を５〜１５ｍｍ長に粉砕し、該粉砕物に制振樹脂を添加した後、抄造加工により成形し、次に該成形物を水抜きし、規定寸法加工した後、乾燥し、製品サイズである５００ｍｍ×５００ｍｍ×９．５ｍｍ厚にカットするものである。
【００１７】  上記実施例において、ロックウール廃材を５〜１５ｍｍ長に粉砕した場合を説明したが、５ｍｍ未満の長さの場合や１５ｍｍを超えた場合は、コスト面や制振性の面で効果が薄れるものである。
【００１８】  上記実施例では抄造方法にて実施した例を説明したが、９．５ｍｍ厚に板状にスライスしたものを利用してもよい。
【００１９】  上記により成形した制振材料の性能評価の結果、室温２５℃で、損失係数が０．１以上と言う実用可能な数値が得られた。
【００２０】  制振樹脂の添加方法としては、上記の実施例では、浸漬であるどぶ漬けにて行なったが、板状に成形した場合は、表面処理を行うことによるものであり、片面で１ｍ２当たり２００ｇの制振樹脂を３〜１０倍に希釈したものを塗布するものである。
【産業上の利用可能性】
【００２１】  雨音を軽減させる制振材としての利用が期待できるが、その他の利用として市場の大きな自動車産業での、自動車の室内環境を良好にするための天井や床およびドアの内部に利用する制振材、或いは建造物の床材、壁材、天井材などの建材に利用できるなどの快適性や省エネルギーなど、自動車産業や建材産業に利用できる。
【図１】
0003226591.tif 000003
(57)【要約】      （修正有）【課題】自宅で手軽にマスクを製造できる、マスク製造の型を提供する。【解決手段】マスクを製造するためのプラステック製の型で、前記の型は上部１と下部２の２枚の組み合わせになっており、２枚の間に水で柔らかくした和紙などの紙を挟み込み、紙が乾燥して固くなったら、上下の型を取り外すことでマスクが製造できる。型の上部１には突起４をつけ、型の下部２には穴３をつける。型の上部１に付いた突起４が、型の下部２の穴３に入り込むことで、２枚の間に挟まれた紙には穴ができ、マスクの空気穴になることで、呼吸をしやすくすることに役立つ。【選択図】図２
0003226525.tif 000002
【実用新案登録請求の範囲】
【請求項１】
上部と下部の２枚合わせのマスク製造の型で、前記マスク製造の型の上部には突起をつけ、下部には穴をつけるところを特徴とするマスク製造の型。
【考案の詳細な説明】
【技術分野】
【０００１】
本考案は、マスク製造の型に関するものである。
【考案の概要】
【考案が解決しようとする課題】
【０００２】
パンデミックなどの災害時にはマスクの需要が増え、買い占めや製造工場側の供給が追い付かず、人々が入手することが困難になる問題がある。従って、自宅で手軽にマスクを製造できる、マスク製造の型を作ることで、災害時のマスク不足を解決しようとするものである。
【課題を解決するための手段】
【０００３】
本考案は、マスクを製造するためのプラステック製の型で、前記の型は上部と下部の２枚の組み合わせになっており、２枚の間に水で柔らかくした和紙などの紙を挟み込み、紙が乾燥して固くなったら、上下の型を取り外すことでマスクが製造でき、問題点を解決している。
【考案の効果】
【０００４】
上述の様に、本考案のマスク製造の型は、型の上部に付いた突起が、型の下部の穴に入り込むことで、２枚の間に挟まれた紙には穴ができ、マスクの空気穴になることで、呼吸をしやすくすることに役立つ。
【図面の簡単な説明】
【０００５】
【図１】本考案の正面図である。
【図２】本考案の裏面図である。
【図３】本考案の断面図である。
【符号の説明】
【０００６】
１    上部の型
２    下部の型
３    穴
４    穴をつくる突起
【図１】
0003226525.tif 000003
【図２】
0003226525.tif 000004
【図３】
0003226525.tif 000005
(57)【要約】      （修正有）【課題】厚板紙１枚だけで形成されたクリップボードで、素材にプラスチックや金属バネを使わない非常に環境に優しい紙製簡易クリップボードを提供する。【解決手段】大きさはＡ４版で紙厚０．５５ｍｍの板紙９の１辺に於いて縁から２８ｍｍの所で折り曲げ６、その折り目から５ｍｍの位置でホッチキス針８を用いて等間隔に３ヶ所で留めたうえ、折り目から２０ｍｍで残り８ｍｍ紙片部分を巻き込むように内側にしっかり折り込み７、その折り込んだ８ｍｍ紙片部分が鈎状になって板紙と接触するように形成し、折り込んだ部分の紙の弾性変形による反発力と摩擦力で挿入した用紙を挟みクリップの働きを持たせることができる。【選択図】図２
0003226542.tif 000002
【実用新案登録請求の範囲】
【請求項１】
厚板紙１枚を使用し、その１辺を折り曲げ、その折り曲げた部分に於ける紙の弾性変形による反発力と摩擦力を利用して挿入した用紙を挟む力が生じるように形成し、クリップの働きを持たせることができることを特徴とする、紙製簡易クリップボード
【考案の詳細な説明】
【技術分野】
【０００１】  本考案は、厚板紙１枚だけで形成されたクリップボードで、素材にプラスチックや金属バネを使わない非常に環境に優しいクリップボードに関するもの。
【背景技術】
【０００２】  文房具で一般に普及しているクリップボードの仕様はプラスチック板に金属のバネを取り付けた製品である。旧態依然としていて現在のプラスチック環境問題には対応していない。
【考案の概要】
【考案が解決しようとする課題】
【０００３】  現代はプラスチックごみによる環境汚染が世界的な問題となっている。私たちの生活を便利で豊かなものにしているプラスチック製品は、戦後急速に普及した。成型しやすく、こわれにくくて、安価で見栄えが良い特徴を持つもので消費者に歓迎され大量に生産されてきた。しかし、その利点である、こわれにくい特徴が環境破壊の問題で、石油由来のプラスチックは分解して土にかえらずに、いつまでも土壌や海洋に留まり堆積しているのが現状。結果ここにきて人類はプラスチックに代わる素材での製品開発に取り組み始め、今さかんに話題になっているのはストローやレジ袋とまだ限られている。私たちは発想の転換によって新たな素材を用いた環境に優しい製品造りで脱プラスチックを進める必要がある。環境汚染問題解決のためプラスチック代替製品は今後ますます広がりを見せるだろう。【０００４】  文房具関連製品もプラスチックを使用したカラフルな見た目のきれいな製品が氾濫している。現在、市販され普及している文房具のクリップボードといえば、大方がプラスチック板に金属のバネを取り付けた様式の物が主流でサイズはＡ４版からそれより大きい物や小さな物となっている。使用時は、片手でバネを起こし、もう一方の手で用紙を差し入れるというもので両手を使用するので少し面倒な動作となる。
【課題を解決するための手段】
【０００５】  今回試行を重ねて考案、形成し出来上がった紙製簡易クリップボードは１枚の板紙だけで完成したものであり、環境に優しいエコ製品と言える。既定の厚さがあるＡ４判厚板紙の１辺をミリ単位で調整した既定値の部分で折り曲げ、先端に当たる部分をしっかりと巻き込んで折り曲げる。折り曲げたうえで効果的な所に針を数カ所打って留めクリップ部分とする。そのクリップは巻き込んで折り曲げた部分の辺とボード部分の紙との間にわずかな隙間が生じ、そこには紙の反発力と摩擦力が発生する。よって用紙を差し入れると噛んで挟んだ状態になり固定されクリップの役割をはたすようになる。用紙をクリップに入れる際は挿入用紙の１辺をクリップの隙間に沿うように横に滑らせて挿入する。普通紙なら２・３枚重ねても出来る。挟んだ用紙を外す際は、用紙の下部を持って下へ引っ張るだけでスコンと外れワンタッチで楽だ。又、ハガキ程度の厚さの紙なら、クリップへの抜き差しはボードに乗せた用紙を下からストンと入れ、そして下へスコンと抜くことができるので完全なワンタッチとなって便利。この点はユニバーサルデザインにも通じるものと考える。簡易クリップとは言え普通紙なら８枚程度は十分に挟むことができ、普通に使用するなら問題ない。
【考案の効果】
【０００６】以上の説明から明らかなように本考案にあたって次に列挙する効果が得られる。
（１）プラスチック及び金属バネを不要とし、プラスチック氾濫の文具製品の中で僅かでもプラスチックの削減につながる。ただ、金属バネの強力な用紙挟みには及ばない簡易・簡便な物なので利用者の使用目的に応じて従来品との使い分けも必要となる。【０００７】（２）紙製品による軽量で安価という特徴は従来製品に無いもので、利用範囲は広がる。更に大きな特徴として、使用の際は用紙のクリップ部分への出し入れがワンタッチでも行え、全ての人が使い易さを実感できる。
【図面の簡単な説明】
【０００８】
【図１】  本考案の紙製簡易クリップボードの正面図である。
【図２】  本クリップボードの断面図である。
【符号の説明】
【０００９】１  板紙Ａ４版
２  山折り
３  用紙差し入れ口、山折り
４  留針
５  折り込み辺
６・７  山折り
８  留針
９  板紙Ａ４版
【図１】
0003226542.tif 000003
【図２】
0003226542.tif 000004
【手続補正書】
【提出日】令和2年3月10日(2020.3.10)
【手続補正１】
【補正対象書類名】実用新案登録請求の範囲
【補正対象項目名】全文
【補正方法】変更
【補正の内容】
【実用新案登録請求の範囲】
【請求項１】
大きさはＡ４版で紙厚０．５５ｍｍの板紙の１辺に於いて縁から２８ｍｍの所で折り曲げ、その折り目から５ｍｍの位置でホッチキス針を用いて等間隔に３ヶ所で留めたうえ、折り目から２０ｍｍで残り８ｍｍ紙片部分を巻き込むように内側にしっかり折り込み、その折り込んだ８ｍｍ紙片部分が鈎状になって板紙と接触するように形成し、折り込んだ部分の紙の弾性変形による反発力と摩擦力で挿入した用紙を挟みクリップの働きを持たせることができる、紙製簡易クリップボード
(57)【要約】【課題】  捜索現場の警察犬にストレスをかけないための原臭移行器具を提供する。【解決手段】  原臭移行器具１０は、原臭１２と無臭布１４を収納し密閉する原臭密閉容器１６と、原臭密閉容器１６に収納される原臭１２と無臭布１４を加熱する電熱部１８とを備えるものである。原臭１２と無臭布１４を加熱することにより、原臭１２を無臭布１４に移行させることができる。原臭１２の移行は密閉された空間１６ａにて行われることから、原臭１２の臭気強度を維持したまま原臭１２の移行を行うことができる。そのため、原臭１２の臭気強度を低下させることはない。また、捜索活動において、原臭１２でなく、無臭布１４の移行臭を用いて行うことにより、原臭１２の臭気強度を維持することができる。これにより、捜索現場の警察犬にストレスをかけることなく、捜索活動を行うことができ、警察犬を効果的に運用することができる。【選択図】  図１
0003226543.tif 000002
【実用新案登録請求の範囲】
【請求項１】
原臭と無臭布を収納し密閉する原臭密閉容器と、原臭密閉容器に収納される原臭と無臭布を加熱する電熱部とを備えることを特徴とする原臭移行器具。
【請求項２】
無臭布に水溶液を含ませることを特徴とする請求項１に記載の原臭移行器具。
【考案の詳細な説明】
【技術分野】
【０００１】
本考案は、警察犬による行方不明者などの捜索活動において使用するものであって、行方不明者の着衣などの原臭を警察犬に嗅がせる無臭布に移行する原臭移行器具に関する。
【背景技術】
【０００２】
一定の地域内で行方不明者、犯罪者を捜索する捜索活動において、警察犬の出動を要請する場合がある。たとえば、警察犬による行方不明者等の捜索では、行方不明者等の着衣を原臭に捜索を行う。この場合、行方不明者等の着衣を家族から受け取り、捜索活動現場に持ち込み、警察犬に原臭を嗅がせて捜索を行う。
家族から受け取った行方不明者等の着衣（原臭）は、これまでは、ビニール袋などに収納して捜索現場に持ち込まれていた。
【考案の概要】
【考案が解決しようとする課題】
【０００３】
しかし、着衣を原臭に捜索を行う場合、着衣の持ち出し後時間の経過とともにその原臭の臭気強度が低下する。原臭の臭気強度が低下すると、捜索現場の警察犬の臭気選別力に影響を与えるため、警察犬にストレスをかけるという問題が生じていた。
【０００４】
本考案は、上記課題を解決するものであって、捜索現場の警察犬にストレスをかけないための原臭移行器具を提供することを目的とする。
【課題を解決するための手段】
【０００５】
本考案の原臭移行器具は、原臭と無臭布を収納し密閉する原臭密閉容器と、原臭密閉容器に収納される原臭と無臭布を加熱する電熱部とを備えるようにしたものである。
また、無臭布に水溶液を含ませるようにしたものである。
【考案の効果】
【０００６】
本考案の原臭移行器具は、原臭の臭気強度を維持するものである。これにより、捜索現場の警察犬にストレスをかけることなく、捜索活動を行うことができることから、警察犬を効果的に運用することができる。
【図面の簡単な説明】
【０００７】
【図１】本考案の原臭移行器具の構造を表す図である。
【考案を実施するための形態】
【０００８】
本考案は、警察犬を効果的に運用することを実現するものである。
【実施例】
【０００９】
本考案の原臭移行器具を図に基いて説明する。図１は、本考案の原臭移行器具の構造を表わす図である。
本考案の原臭移行器具１０は、原臭１２と無臭布１４を収納し密閉する原臭密閉容器１６と、原臭密閉容器１６に収納される原臭１２と無臭布１４を加熱する電熱部１８とを備えるものである。
原臭１２は、行方不明者等の着衣や枕カバーなど、人の臭気が付着していると思われる物品等である。
無臭布１４は、晒し、不織布などの布片である。
なお、本願の考案は、原臭１２の臭いを無臭布１４に移行させるものである。
また、本願において、原臭１２の臭いを無臭布１４に移行させた臭気を移行臭という。
【００１０】
原臭密閉容器１６は、原臭１２と無臭布１４を収納する内部空間１６ａを形成するものである。原臭密閉容器１６は、蓋部１６ｂを備え、蓋部１６ｂを閉じた状態で、原臭密閉容器１６の蓋部１６ｂと本体１６ｃにより密閉された内部空間１６ａを形成している。これにより、原臭１２の臭気強度を維持することができる。
なお、蓋部１６ｂは、原臭密閉容器１６の本体１６ｃの開口部（原臭１２と無臭布１４の投入口及び取出口）を開閉するものである。
また、原臭密閉容器１６（蓋部１６ｂ及び本体１６ｃ）の内壁には、断熱材及びガスバリア材料が施されているものとする。これにより、原臭密閉容器１６の内部空間１６ａの温度低下及び原臭の臭気強度の低下を防止することができる。
【００１１】
電熱部１８は、内部空間１６ａを加熱するものである。すなわち、原臭密閉容器１６の内部空間１６ａに収納する原臭１２と無臭布１４を加熱する。これにより、原臭１２を無臭布１４に移行することができる。
電熱部１８は、原臭密閉容器１６の内部空間１６ａに収納された原臭１２と無臭布１４の近傍に置く発熱体（たとえば、赤外線を放出するランプなど）である。図１において、電熱部１８は、原臭密閉容器１６の本体１６ｃの内部（底部）に設けられている。また、電熱部１８の電源２０は、原臭密閉容器１６の外部に設けられている。電源２０としては、例えば、車載用電源やポータブル電源などを用いることができる。
【００１２】
本考案の原臭移行器具１０によると、原臭密閉容器１６に収納される原臭１２と無臭布１４を加熱することにより、原臭１２を無臭布１４に移行させることができる。原臭１２の移行は密閉された空間１６ａにて行われることから、原臭１２の臭気強度を維持したまま原臭１２の移行を行うことができる。そのため、原臭１２の臭気強度を低下させることはない。また、捜索活動において、原臭１２でなく、無臭布１４の移行臭を用いて行うことにより、原臭１２の臭気強度を維持することができる。これにより、捜索現場の警察犬にストレスをかけることなく、捜索活動を行うことができ、警察犬を効果的に運用することができる。
【００１３】
無臭布１４に水溶液を含ませるようにしてもよい。たとえば、無臭布１４を水で湿らせて使用する。これにより、無臭布１４に原臭１２を容易に移行することができる。
【符号の説明】
【００１４】
１０  原臭移行器具
１２  原臭
１４  無臭布
１６  原臭密閉容器
１８  電熱部
【図１】
0003226543.tif 000003
【手続補正書】
【提出日】令和2年4月4日(2020.4.4)
【手続補正１】
【補正対象書類名】実用新案登録請求の範囲
【補正対象項目名】全文
【補正方法】変更
【補正の内容】
【実用新案登録請求の範囲】
【請求項１】
原臭と無臭布を収納し密閉する原臭密閉容器と、原臭密閉容器に収納される原臭と無臭布を加熱する電熱部とを備えることを特徴とする原臭移行器具。
【請求項２】
無臭布に水を含ませることを特徴とする請求項１に記載の原臭移行器具。
【手続補正２】
【補正対象書類名】明細書
【補正対象項目名】０００５
【補正方法】変更
【補正の内容】
【０００５】
本考案の原臭移行器具は、原臭と無臭布を収納し密閉する原臭密閉容器と、原臭密閉容器に収納される原臭と無臭布を加熱する電熱部とを備えるようにしたものである。
また、無臭布に水を含ませるようにしたものである。
(57)【要約】      （修正有）【課題】箸を持つとき、片手だけで持ち、または置くことを容易にした箸置き台であって、箸先が卓上にも、箸置き台にも触れないようにした。【解決手段】卓上面からほぼ２ｃｍ以上４ｃｍの高さを備えた箸置き台本体を備え、箸１を置くための箸置き台本体の上面に凹部４または凸部を設け、上面と箸との接触部分の長さをほぼ５ｃｍ以上８ｃｍ以内とし、箸を水平かつ横へ転げ落ちないように置くことができる。【選択図】図４
0003226544.tif 000002
【実用新案登録請求の範囲】
【請求項１】
箸を卓上面からほぼ２ｃｍ以上４ｃｍの高さに水平に置けるように、立体箸置き台上面に凹部または凸部を設けて、その上に置いた箸が横へ転げ落ちないようにし、置いた箸の長さに長短があるので、箸の接触部分の間隔をほぼ５ｃｍ以上８ｃｍ以内とした箸置き台。
【考案の詳細な説明】
【技術分野】
【０００１】  食事に使用する箸を置く道具に関するもの。
【背景技術】
【０００２】  食事に使用する箸の箸置き台は、形状、素材は多種多様である。
【先行文献】
【特許文献】
【０００３】
【特許文献１】特開２０１５−１６２８１  平板状の材料を湾曲状または多角状に折り曲げ、安定した形状を保つため板底を固着させ、湾曲状または多角状の上方左右に切り欠きまたは窪みを設けた箸置き台で、それを安定させるための底板に固着したものである。
【０００４】
【特許文献２】実開昭４７−１３２９１  箸の支持部は離れて２か所になっているので箸を置く場合、箸の中央部を持って箸の両端に近い所を支持部に載せることになる。そのため箸先に付着した食物などは支持部に付着することになり不潔で衛生的ではない。
【考案の概要】
【考案が解決しようとする課題】
【０００５】  従来の箸置き台に斜めに立てかける如く置いた箸は、右利きの人が箸を持とうとすると、まず右手で上から箸をつまみ上げ、次に左手を箸の下に添えて持ち、次の動作で右手を箸の下に回して箸を持ち替えるのが通例であった。そのため左手が使えない時など右手だけで箸を持ち、使おうとすると極めて使いにくいものであった。
【課題を解決するための手段】
【０００６】  上記の課題を解決するために、箸を２か所で支持する考案がなされたが、どちらも片手だけで箸を持ったり、置いたりすることに難があり、衛生面でも問題があったりする。
特許文献１は平板状の材料を湾曲または折り曲げその上部に切り欠きまたは窪みを設けた部分と上部を安定させるための底板台との組み合わせにより、複数の部品をもって箸置き台を形成している。
特許文献２は箸の支持部が離れて２か所になっているため、食事中の箸は箸先に食物が付着するので、その箸を支持部の置くと箸先の食物が支持部に付着するので、不潔、不衛生になる。
そこで本案は上記欠点を除くため単純な立体形の箸置き台を考案した。この立体形の箸置き台に箸を置く場合、箸を置く位置は卓上２０ｍｍ〜４０ｍｍとし、その位置に箸を水平に置く。箸が転げ落ちないように箸を置く部分に凹部を設けるか、または上面縁部に凸部を設けることを基本形とした箸置き台で、立体の形状は角型、丸型、変形型など箸が水平に置ければその形状は問わない。
また、軽量化、材料の節約のため、下方、横、中間部に空間部を設けることもできる。
【考案の効果】
【０００７】  この箸置き台に箸を載せるときは、箸先が向こう側に、箸頭側は手前になるように縦向きに置くと使いやすい。箸が水平に置いてあると箸の箸頭側の下に２０ｍｍ〜４０ｍｍの空間ができる。箸を持とうとするとき、右手の親指を箸頭側の下に入れ、他の４本指を箸の上から箸を挟むように持つと、箸は右手だけで自然に、容易に箸を持ち使用することができる。都合により左手が使えないときなどは、右手だけで箸を持ち、また置くことが容易にできるので便利である。
箸置き台の、箸支持部の前後の間隔はほぼ５０ｍｍ以上８０ｍｍ以下であるため、箸の長さはいろいろあるが、箸を置いたとき箸先が箸の支持部に触れないので衛生的である。
なぜなら箸の長さを２００ｍｍとしたとき、支持部の間隔が５０ｍｍとすると、支持部から外れる箸の長さは２００−５０＝１５０で箸先と箸頭の部分に等分に分けると７５ｍｍとなる。つまり箸先が７５ｍｍ、箸頭が７５ｍｍ各箸置き台からはずれた空間にあることになる。であるから箸先に付着した食物は箸の支持部に付着することはない。
また、形状が立体形であるため、側面に絵や文字をかくこともできる。
本案は単純な立体形であるため成型加工が容易である点も利点である。
【図面の簡単な説明】
【０００８】
【図１】本考案の上部の縁に凸部のある斜視図
【図２】本考案の上部に凹部のある円柱形の斜視図
【図３】本考案の下部に欠損部のある斜視図
【図４】本考案の上に箸を置いたときの斜視図
【図５】本考案の上に置かれた箸を右手で持つときの斜視図
【０００９】  ［以下、本考案の実施例によって説明する］
【考案を実施するための形態】
【００１０】  本考案は図１，２，３，４、５に示す如く立体形の箸置き台で、その形状は四角形、長方形、円柱形または器物、動物、果物などの形状で水平に箸１を置ける箇所があれば、その形状、材質を問わない。
箸１を置く位置は卓上２ｃｍ〜４ｃｍの水平部２に箸１を水平に置き、箸が転げ落ちないように突起３を設け、または凹部４を設ければよい。
【実施例】
【００１１】  図１，２，３，４、５に示すように、立体的置物にして、上面に箸１を水平に置く場所を要する。【００１２】  箸置き台の立体的形状は丸型、角型、変形型を問わない。材質は自由で木、プラスチック、陶磁器、金属などが使える。【００１３】  箸置き台本体を軽量化または材料節約のため欠損部５を設けることが出来る。欠損部の形状は箸置き台の機能を損なわない限り任意である。【００１４】  箸１を右手６に持つときは図５のように親指７を箸１の下に当て、他の４本の指８を上からはさむようにして、箸１を持ち上げると右手６だけで容易に箸１を持ち、または置くことができる。何かの理由で左手が使えない場合に便利である。【００１５】  箸の置き方は食事する人に対して図４、図５のように、箸先を向こう向きに、箸頭をこちら側に、縦向きに置くと使いやすい。
【符号の説明】
【００１６】  １  箸
２  水平部
３  突起部
４  凹部
５  欠損部
６  右手
７  親指
８  ４本の指
【図１】
0003226544.tif 000003
【図２】
0003226544.tif 000004
【図３】
0003226544.tif 000005
【図４】
0003226544.tif 000006
【図５】
0003226544.tif 000007
【手続補正書】
【提出日】令和2年3月5日(2020.3.5)
【手続補正１】
【補正対象書類名】実用新案登録請求の範囲
【補正対象項目名】請求項１
【補正方法】変更
【補正の内容】
【請求項１】
卓上面からほぼ２ｃｍ以上４ｃｍの高さを備えた箸置き台本体を備え、前記箸を置くための前記箸置き台本体の上面に凹部または凸部を設け、前記上面と前記箸との接触部分の長さをほぼ５ｃｍ以上８ｃｍ以内とし、箸を水平かつ横へ転げ落ちないように置くことを特徴とする箸置き台。